(57)【要約】【課題】地上波ディジタルワンセグ放送の受信の開始処理または終了処理を操作性よく行う携帯端末装置を提供する。【解決手段】筐体と、筐体外部に引き出された状態および筐体内部に収納された状態を構成するアンテナと、アンテナを介して放送を受信し、受信した放送に基づく映像・音声信号を出力する放送受信手段と、アンテナの位置の状態を検出する検出手段と、検出手段により検出されたアンテナの位置の状態に応じて、放送受信手段による放送の受信の開始または終了を制御する制御手段とを備えた。【選択図】  図４
2010045627.tif 000002
【特許請求の範囲】
【請求項１】
筐体と、
前記筐体外部に引き出された状態および前記筐体内部に収納された状態を構成するアンテナと、
前記アンテナを介して放送を受信し、受信した放送に基づく映像・音声信号を出力する放送受信手段と、
前記アンテナの位置の状態を検出する検出手段と、
前記検出手段により検出された前記アンテナの位置の状態に応じて、前記放送受信手段による放送の受信の開始または終了を制御する制御手段と、
を備えたことを特徴とする携帯端末装置。
【請求項２】
前記検出手段により前記アンテナが前記筐体外部に引き出された状態であると検出された場合、前記制御手段は、前記放送受信手段による放送の受信を開始させることを特徴とする請求項１記載の携帯端末装置。
【請求項３】
前記放送受信手段により放送の受信が開始された後に、前記検出手段により前記アンテナが前記筐体内部に収納された状態であると検出された場合、前記制御手段は、前記放送受信手段による放送の受信を終了させることを特徴とする請求項１記載の携帯端末装置。
【請求項４】
前記検出手段は、前記アンテナが収納された状態であることを検出する光学センサユニット、および前記アンテナが引き出された状態であることを検出する光学センサユニットの２個の光学センサユニットで構成されたことを特徴とする請求項１記載の携帯端末装置。
【請求項５】
前記放送受信手段による放送の受信を開始させる指示を受け付ける開始受付手段をさらに備え、
前記検出手段は、前記アンテナが収納された状態であることを検出する光学センサユニットで構成され、
前記制御手段は、前記開始受付手段により放送の受信を開始させる指示を受けた場合、前記放送受信手段による放送の受信を開始させ、前記検出手段により前記アンテナが収納された状態であると検出された場合、前記放送受信手段による放送の受信を終了させることを特徴とする請求項１記載の携帯端末装置。
【請求項６】
前記放送受信手段による放送の受信を終了させる指示を受け付ける終了受付手段をさらに備え、
前記検出手段は、前記アンテナが引き出された状態であることを検出するセンサユニットで構成され、
前記制御手段は、前記検出手段により前記アンテナが引き出された状態であると検出された場合、前記放送受信手段による放送の受信を開始させ、前記終了受付手段により放送の受信を終了させる指示を受け付けた場合、前記放送受信手段による放送の受信を終了させることを特徴とする請求項１記載の携帯端末装置。
【請求項７】
前記制御手段は、前記検出手段により前記アンテナが引き出された状態であると検出され、かつ既に他の機能が起動中である場合においては、前記放送受信手段による放送の受信を開始させないことを特徴とする請求項２記載の携帯端末装置。
【請求項８】
前記制御手段は、前記検出手段により前記アンテナが引き出された状態であると検出され、かつ既に他の機能が起動中である場合においては、前記放送受信手段による放送の受信を開始し、前記他の機能と同時に実行させることを特徴とする請求項２記載の携帯端末装置。
【発明の詳細な説明】
【技術分野】
【０００１】
本発明は、携帯端末装置に係り、特に地上波ディジタルワンセグ放送の受信機能を備えた携帯端末装置に関する。
【背景技術】
【０００２】
今日、地上波ディジタル放送や地上波ディジタルワンセグ放送（以下、ディジタル放送という。）を受信して視聴や録画が可能な携帯端末装置が知られている。このディジタル放送の受信機能などは、携帯端末装置の主機能として設けられる場合と、種々の機能と並存して設けられる場合がある。特に、一の携帯端末装置である携帯電話機においては、音声通話機能やネットワーク通信機能と共に、ディジタル放送の受信機能などが設けられることが一般的となった。
【０００３】
一方で、携帯端末装置の多機能化に伴い、メニュー画面などを介して種々の機能の中から所望の機能を起動させるための操作が煩雑化していた。
【０００４】
これに対応すべく、放送受信機能を利用する際に、ユーザのキー操作に頼ることなく簡単かつ迅速に起動できる携帯端末装置が知られていた（例えば、特許文献１参照）。
【特許文献１】特開２００６−２１１３９４号公報
【発明の開示】
【発明が解決しようとする課題】
【０００５】
ティジタル放送受信機能が設けられた携帯端末装置には、受信精度を向上させるために引き出し式の放送受信用アンテナが設けられる場合がある。この放送受信用アンテナは、ディジタル放送受信時においては携帯端末装置の外部に引き出され、携帯時や音声通話時などのディジタル放送受信時以外の通常時においては携帯端末装置の内部に収納可能に構成される。
【０００６】
このため、ディジタル放送の受信を開始するためには、特許文献１に示すように筐体の形態を変化させるなどの所定の動作に加え、放送受信用アンテナを引き出す動作が必須であった。また、ディジタル放送の受信を終了させるためには、所定の終了動作に加え、放送受信用アンテナを携帯端末装置の内部に収納させる動作が必須であった。
【０００７】
本発明はこのような事情を考慮してなされたもので、放送受信用アンテナの状態に伴い、地上波ディジタルワンセグ放送の受信の開始処理または終了処理を操作性よく行う携帯端末装置を提供することを目的とする。
【課題を解決するための手段】
【０００８】
本発明に係る携帯端末装置は、上述した課題を解決するために、筐体と、前記筐体外部に引き出された状態および前記筐体内部に収納された状態を構成するアンテナと、前記アンテナを介して放送を受信し、受信した放送に基づく映像・音声信号を出力する放送受信手段と、前記アンテナの位置の状態を検出する検出手段と、前記検出手段により検出された前記アンテナの位置の状態に応じて、前記放送受信手段による放送の受信の開始または終了を制御する制御手段とを備えたことを特徴とする。
【発明の効果】
【０００９】
本発明に係る携帯端末装置は、地上波ティジタルワンセグ放送の受信の開始処理または終了処理に対する操作性を向上させることができる。
【発明を実施するための最良の形態】
【００１０】
本発明に係る携帯端末装置の実施形態を添付図に基づいて説明する。図１は、本発明に係る携帯端末装置の一例であるスライド式の携帯電話機１の外観の構成を示す図である。なお、図１（Ａ）は、スライド式の携帯電話機１を閉じた状態としたときの外観の構成を示す斜視図、図１（Ｂ）は、スライド式の携帯電話機１を開いた状態としたときの外観の構成を示す斜視図である。
【００１１】
図１（Ａ）および（Ｂ）に示されるように、携帯電話機１は、図示しないスライド機構を介してスライド可能に結合された上筐体１２と下筐体１３とを有している。これらの上筐体１２と下筐体１３とは、スライド機構を介して上筐体１２と下筐体１３とが互いに矢印Ｘ方向にスライド可能に設けられる。これらの上筐体１２と下筐体１３とは、相対的に長手方向に沿ってスライドされて、携帯電話機１を収縮させた図１（Ａ）の閉じた状態、および伸長させた図１（Ｂ）の開いた状態の２つの形態をとる。
【００１２】
ほぼ矩形状に構成された上筐体１２には、その表面の大部分を占めるディスプレイ１４が設けられている。ディスプレイ１４は、例えばＬＣＤ（Ｌｉｑｕｉｄ  Ｃｒｙｓｔａｌ  Ｄｉｓｐｌａｙ）、有機ＥＬ（ＥｌｅｃｔｒｏＬｕｍｉｎｅｓｃｅｎｃｅ）ディスプレイ、無機ＥＬ（Ｉｎｏｒｇａｎｉｃ  ＥｌｅｃｔｒｏＬｕｍｉｎｅｓｃｅｎｃｅ）ディスプレイ、ＳＥＤ（Ｓｕｒｆａｃｅ−ｃｏｎｄｕｃｔｉｏｎ  Ｅｌｅｃｔｒｏｎ−ｅｍｉｔｔｅｒ  Ｄｉｓｐｌａｙ）により構成されるディスプレイである。ディスプレイ１４には、電波の受信状態、電池残量、電話帳として登録されている相手先名や電話番号および送信履歴などの他、電子メールの内容、簡易ホームページなどが表示される。また、本実施形態においては、受信した地上波ディジタルワンセグ放送に基づく映像が表示される。
【００１３】
ディスプレイ１４の上部の所定の位置にはレシーバ（受話器）１５が設けられている。音声通話時においては、レシーバ１５より通話相手の音声が出力される。なお、携帯電話機１の所定の位置には、レシーバ１５以外の音声出力手段としてのスピーカ（図３のスピーカ１９）が設けられる。また、本実施形態においては、受信した地上波ディジタルワンセグ放送に基づく音声が出力される。
【００１４】
またディスプレイ１４の下部には、サブ操作キー１６が設けられる。サブ操作キー１６は、主に携帯電話機１が閉じた状態であるときに必要とされる通話キーや終話キーなどの各種操作キーが配置される。例えば、携帯電話機１を閉じた状態でも電話の着信を受けたい場合は、着信が割り当てられた通話キーを配置または必要に応じてユーザ側でキーの機能が割り当てられる。
【００１５】
図１（Ｂ）に示すように、下筐体１３の表面には携帯電話機１が開いた状態であるときに露出して使用可能な状態となる操作キー１７が設けられる。操作キー１７はユーザによる押下に伴い、各種指示の入力を受け付ける。操作キー１７の下部にはマイクロフォン１８が設けられており、マイクロフォン１８によって音声通話時のユーザの音声が集音される。
【００１６】
また、下筐体１３には、背面側に図示しないバッテリパックが挿着されており、例えば終話・電源キーが押下されてオン状態になると、バッテリパックから各回路部に対して電力が供給されて動作可能な状態に移行する。
【００１７】
また、下筐体１３の内部の所定の位置には、図示しない基地局との通信用アンテナ（図３の通信用アンテナ４８）が内蔵されており、この通信用アンテナを介して基地局との間で電波を送受信する。
【００１８】
下筐体１３の内部の所定の位置には、さらに地上波ディジタルワンセグ放送を受信する地上波ディジタルワンセグ放送受信用アンテナが引き出し可能に設けられる。なお、地上波ディジタルワンセグ放送受信用アンテナは、下筐体１３の外部に引き出されることで、ワンセグ放送の安定した受信を行う。また、ワンセグ放送受信時以外の通常時、例えば携帯時、音声通話時においては、地上波ディジタルワンセグ放送受信用アンテナは下筐体１３内部に収納される。
【００１９】
図２は、本実施形態における携帯電話機１の下筐体１３に設けられた地上波ディジタルワンセグ放送受信用アンテナ２０が引き出された状態あるいは収納された状態を特に示す断面図である。図２（Ａ）は、地上波ディジタルワンセグ放送受信用アンテナ２０が下筐体１３の外部に引き出された状態を示す断面図、（Ｂ）は、地上波ディジタルワンセグ放送受信用アンテナ２０が下筐体１３の内部に収納された状態を示す断面図である。
【００２０】
下筐体１３には、地上波ディジタルワンセグ放送（以下、ワンセグ放送という。）の受信時以外である通常時においてワンセグ放送受信用アンテナ（以下、アンテナという。）２０を収納するアンテナ収納部２１が設けられる。下筐体１３におけるアンテナ収納部２１の図示上端には開口部２２が構成され、この開口部２２からアンテナ２０が引き出される。また、この開口部２２にはアンテナ保持部２３が設けられる。アンテナ保持部２３は、アンテナ２０のアンテナ根元部２０ａおよびアンテナ先端部２０ｂを保持してアンテナ２０の引き出された状態および収納された状態を維持する。
【００２１】
アンテナ２０は、一段式または多段式のロッドアンテナで構成される。アンテナ２０が収納された状態においてアンテナ２０の外表面を構成する部材は、例えばアルミニウムである。なお、アンテナ２０の外表面は、アルミニウム以外であってもよく、下筐体１３内部の他の部材と比べて照射された赤外線の反射率が高い材料で構成されていればよい。
【００２２】
アンテナ２０の一端であるアンテナ根元部２０ａは、アンテナ２０が引き出された状態において、アンテナ保持部２３によって係止されるようになっている。アンテナ２０は、アンテナ根元部２０ａが係止されることにより、アンテナ２０が引き出された状態を維持する。また、アンテナ根元部２０ａには、ストッパ２０ｃが設けられる。ストッパ２０ｃは、アンテナ２０が引き出された場合にアンテナ保持部２３に対する抜け止めとして機能する。なお、「アンテナ２０が引き出された状態」とは、アンテナ２０がアンテナ保持部２３によって引き出された状態が維持され、かつストッパ２０ｃが機能した状態であり、アンテナ２０が最大量引き出された状態をいう。
【００２３】
アンテナ２０の他端であるアンテナ先端部２０ｂは、アンテナ２０が収納された状態においてアンテナ保持部２３によって係止されるようになっている。アンテナ２０は、アンテナ先端部２０ｂが係止されることにより、アンテナ２０が収納された状態を維持する。なお、「アンテナ２０が収納された状態」とは、アンテナ２０がアンテナ保持部２３によって収納された状態が維持された状態であり、アンテナ２０が最大量収納された状態をいう。
【００２４】
下赤外線センサユニット３０ａおよび上赤外線センサユニット３０ｂ（赤外線センサユニット３０）は、それぞれ発光素子３１ａ、３１ｂ（発光素子３１）および受光素子３２ａ、３２ｂ（受光素子３２）で構成される。赤外線センサユニット３０は、発光素子３１より照射された赤外線がアンテナ２０により反射され、受光素子３２において受光されることによりアンテナ２０の位置の状態を検出する反射型で構成される。
【００２５】
赤外線センサユニット３０はアンテナ収納部２１の２箇所に配置される。
【００２６】
下赤外線センサユニット３０ａは、例えばアンテナ収納部２１の図示下方に位置する下筐体１３の内表面に配置される。この下赤外線センサユニット３０ａは、アンテナ２０が収納された状態である場合にのみアンテナ２０の検出が可能な位置に配置される。このため、下赤外線センサユニット３０ａがアンテナ２０の検出を行った場合には、アンテナ２０は収納された状態であると判定される。
【００２７】
上赤外線センサユニット３０ｂは、例えばアンテナ収納部２１の図示上方に位置する下筐体１３の内表面に配置される。この上赤外線センサユニット３０ｂは、アンテナ２０が引き出された状態以外の状態である場合にアンテナ２０の検出を行う位置に配置される。すなわち、アンテナ２０が引き出された状態である場合には、いずれのアンテナ２０の部位の検出をも行わない位置に配置される。例えば、アンテナ２０が引き出された状態である場合に、アンテナ根元部２０ａよりもアンテナ２０の収納方向に配置される。このため、上赤外線センサユニット３０ｂがアンテナ２０の検出を行わなかった場合に、アンテナ２０は引き出された状態であると判定される。
【００２８】
図３は、本実施形態における携帯電話機の内部の構成を示す図である。携帯電話機１は、主制御部４０、電源回路部４１、入力制御部４２、表示制御部４３、記憶部４４、音声制御部４５、通信制御部４６、赤外線センサユニット３０およびワンセグ放送受信部４７がバスによって相互に通信可能に接続されて構成される。
【００２９】
主制御部４０は、ＣＰＵ（Ｃｅｎｔｒａｌ  Ｐｒｏｃｅｓｓｉｎｇ  Ｕｎｉｔ）を具備する。ＣＰＵは種々の制御信号を生成し各部に供給することにより携帯電話機１を統括的に制御する。ＣＰＵは、例えば操作キー１７などから受け付けた入力に対応する処理や、その他の様々な演算処理や制御処理などを行う。
【００３０】
電源回路部４１は、例えばユーザによる操作キー１７から受け付けた入力に基づいて電源のＯＮ／ＯＦＦ状態を切り替え、電源がＯＮ状態の場合に電力供給源（バッテリパックなど）から各部に対して電力を供給して、携帯電話機１を動作可能にする。
【００３１】
入力制御部４２は操作キー１７やサブ操作キー１６に対する入力インタフェースを備える。この入力制御部４２は、操作キー１７やサブ操作キー１６の押下を検出すると、その押下された操作キー１７やサブ操作キー１６を示す信号を生成して主制御部４０に伝送する。
【００３２】
表示制御部４３はディスプレイ１４に対する表示インタフェースを備え、主制御部４０の制御に基づいて、文書や映像などを含む表示情報をディスプレイ１４に表示する。本実施形態においては、表示制御部４３は、ワンセグ放送受信部４７より供給されたディジタル放送に基づく映像信号をディスプレイ１４に出力する。
【００３３】
記憶部４４は、主制御部４０が行う処理の処理プログラムや処理に必要なデータなどを格納するＲＯＭ（Ｒｅａｄ  Ｏｎｌｙ  Ｍｅｍｏｒｙ）やハードディスク、不揮発性メモリ、主制御部４０が処理を行う際に使用されるデータを一時的に記憶するＲＡＭ（Ｒａｎｄｏｍ  Ａｃｃｅｓｓ  Ｍｅｍｏｒｙ）などから構成される。記憶部４４は、主制御部４０のＣＰＵにより実行される電子メール機能などの種々のアプリケーションや種々のデータ群を格納している。
【００３４】
音声制御部４５は、主制御部４０の制御に基づいて、マイクロフォン１８で集音された音声からアナログ音声信号を生成し、このアナログ音声信号をディジタル音声信号に変換する。また音声制御部４５は、ディジタル音声信号を取得すると、主制御部４０の制御に基づいてこのディジタル音声信号をアナログ音声信号に変換し、レシーバ１５から音声として出力する。また、音声制御部４５は、スピーカ１９より出力される音声や音の出力を制御する。本実施形態においては、音声制御部４５は、ワンセグ放送受信部４７より供給されたディジタル放送に基づく音声信号を出力する。
【００３５】
通信制御部４６は、主制御部４０の制御に基づいて、基地局（図示せず）から通信用アンテナ４８を介して受信した受信信号をスペクトラム逆拡散処理してデータを復元する。このデータは、主制御部４０の指示により、音声制御部４５に伝送されてレシーバ１５から出力されたり、表示制御部４３に伝送されてディスプレイ１４に表示されたり、または記憶部４４に記録されたりする。また通信制御部４６は、主制御部４０の制御に基づいて、マイクロフォン１８で集音された音声データや操作キー１７を介して入力されたデータや記憶部４４に記憶されたデータを取得すると、これらのデータに対してスペクトラム拡散処理を行い、基地局に対して通信用アンテナ４８を介して送信する。
【００３６】
赤外線センサユニット３０（下赤外線センサユニット３０ａ、上赤外線センサユニット３０ｂ）は、下筐体１３に設けられたアンテナ２０の位置の状態を検出し、主制御部４０に供給する。具体的には、アンテナ２０が下筐体１３の内部に収納された状態であるか、または下筐体１３の外部に引き出された状態であるかを、アンテナ２０の状態として検出する。ワンセグ放送受信部４７は、図示しない放送局より送信されたワンセグ放送を、アンテナ２０を介して受信する。また、ワンセグ放送受信部４７は、受信したワンセグ放送により得られた映像・音声信号に基づく視聴処理を行う際には、所定の処理を実行することにより得られた映像・音声信号を表示制御部４３および音声制御部４５に供給する。また、ワンセグ放送受信部４７により得られた映像・音声信号を記憶部４４に供給することにより録画処理が実行される。
【００３７】
次に、本実施形態における携帯電話機１のワンセグ放送受信部４７の起動制御処理について説明する。図４は、本実施形態における携帯電話機１により主制御部４０の制御に基づき実行されるワンセグ放送受信制御処理を説明するフローチャートである。
【００３８】
ステップＳ１において、主制御部４０は、アンテナ２０が引き出された状態であるか否かの判定を行う。主制御部４０は、赤外線センサユニット３０により検出されたアンテナ２０の状態に基づき判定を行う。具体的には、アンテナ収納部２１の上方に設けられた上赤外線センサユニット３０ｂが、アンテナ２０を検出しない場合、主制御部４０は、アンテナ２０が引き出された状態であると判定する。
【００３９】
図５は、上赤外線センサユニット３０ｂの動作状態を概念的に示す図である。上赤外線センサユニット３０ｂは、発光素子３１ｂより照射された赤外線ＩＲがアンテナ２０により反射され、受光素子３２ｂにより受光されたか否かによりアンテナ２０の状態を検出する。主制御部４０は、図５（Ａ）に示すように発光素子３１ｂより照射された赤外線ＩＲがアンテナ２０により反射され、受光素子３２ｂにより受光されることによりアンテナ２０が検出された場合、アンテナ２０は引き出された状態ではないと判定する。一方、主制御部４０は、図５（Ｂ）に示すように発光素子３１ｂより照射された赤外線ＩＲが受光素子３２ｂにより受光されないため、アンテナ２０の検出が行われなかった場合、アンテナ２０は引き出された状態であると判定する。
【００４０】
主制御部４０は、アンテナ２０が引き出された状態ではないと判定した場合、アンテナ２０が引き出された状態に移行するまで処理を待機する。なお、アンテナ２０が収納された状態から引き出された状態に移行するまでのアンテナ２０の状態であって、アンテナ保持部２３にアンテナ２０が保持されていない状態である場合については、主制御部４０はユーザがワンセグ放送の受信を行うためにアンテナ２０を引き出す方向に移動させたのではなく誤動作であるとみなし、ワンセグ放送の受信を開始させる処理は行わない。
【００４１】
一方、主制御部４０は、アンテナ２０が引き出された状態であると判定した場合、ステップＳ２において、ワンセグ放送受信部４７に対しワンセグ放送の受信を開始させる。
【００４２】
ステップＳ３において、主制御部４０は、アンテナ２０が収納された状態に移行したか否かの判定を行う。主制御部４０は、赤外線センサユニット３０により検出されたアンテナ２０の状態に基づき判定を行う。具体的には、アンテナ収納部２１の下方に設けられた下赤外線センサユニット３０ａがアンテナ２０を検出した場合、主制御部４０は、アンテナ２０が収納された状態に移行したと判定する。
【００４３】
主制御部４０は、図５（Ａ）に示すように発光素子３１ａより照射された赤外線ＩＲがアンテナ２０により反射され、受光素子３２ａにより受光されることによりアンテナ２０が検出された場合、アンテナ２０は収納された状態に移行したと判定する。一方、主制御部４０は、図５（Ｂ）に示すように発光素子３１ａより照射された赤外線ＩＲが受光素子３２ａにより受光されないため、アンテナ２０の検出が行われなかった場合、アンテナ２０は収納された状態に移行していないと判定する。
【００４４】
主制御部４０は、アンテナ２０が収納された状態に移行していないと判定した場合、アンテナ２０が収納された状態に移行するまで処理を待機する。なお、アンテナ２０が引き出された状態から収納された状態に移行するまでのアンテナ２０の状態であって、アンテナ保持部２３にアンテナ２０が保持されていない状態である場合については、主制御部４０はユーザがワンセグ放送の受信を終了させるためにアンテナ２０を収納方向に移動させたのではなく、誤動作であるとみなし、ワンセグ放送の受信を終了させる処理は行わない。
【００４５】
一方、主制御部４０は、アンテナ２０が収納された状態に移行したと判定した場合、ステップＳ４において、ワンセグ放送受信部４７に対しワンセグ放送の受信を終了させ、ワンセグ放送受信制御処理を終了する。
【００４６】
なお、ユーザによりアンテナ２０が基地局との通信用アンテナ４８と誤認され、ワンセグ放送の受信の開始を意図しない場合であってもアンテナ２０が引き出されてしまうことが考えられる。例えば、音声通話中に電波状態を向上させる目的でアンテナ２０が引き出されてしまうことが考えられる。このように、他の機能が起動中であってワンセグ放送の受信を開始することが想定されない状況下でアンテナ２０が引き出された場合には、状態判定ステップＳ１においてアンテナ２０が引き出された状態であると判定された場合であっても、ワンセグ放送の受信を開始しないように構成してもよい。または、アンテナ２０が引き出された場合に、ディスプレイ１４にポップアップ表示を行い、ワンセグ放送用のアンテナ２０が引き出された旨の通知を行ったり、ワンセグ放送の受信を開始するか否かをユーザに選択させる旨の通知を行ったりしてもよい。
【００４７】
この携帯電話機１によれば、ワンセグ放送の受信開始時において必須な動作であるアンテナ２０を引き出す動作によって、ワンセグ放送の受信を開始させることにより、ワンセグ放送の受信を開始させるための操作を削減することができる。また、ワンセグ放送の受信終了時においても、アンテナ２０を収納する動作によってワンセグ放送の受信を容易に終了させることができる。このため、メニュー画面などを介して行うキー操作を不要とすることができ、ワンセグ放送受信時の操作性を向上させることができる。
【００４８】
また、赤外線センサユニット３０を、所定の２箇所に配置させることにより、誤動作などによりアンテナ２０がわずかに引き出された場合や収納された状態となった場合であっても、完全に引き出された状態および収納された状態へ移行したことが検出されるまでワンセグ放送の受信を開始または終了させない。このため、誤動作による不要な処理の実行を抑制することができる。
【００４９】
なお、本実施形態における携帯電話機１に設けられた赤外線センサユニット３０の配置位置に限らず、他の位置に配置させてもよい。また、赤外線センサユニット３０を所定の２箇所に配置させたが、これに限らず１箇所のみに配置させてもよい。これに伴い、ワンセグ放送の開始および終了のいずれか一方の処理をアンテナ２０の状態に応じて実行させてもよい。
【００５０】
例えば、アンテナ２０が収納された状態であることを検出する下赤外線センサユニット３０ａのみを下筐体１３に配置した場合、ワンセグ放送の受信を開始する処理については操作キー１７より所定の処理を受け付けた場合に実行される。また、下赤外線センサユニット３０ａが、アンテナ２０が収納された状態であることを検出した場合にワンセグ放送の受信を終了する処理が実行される。また、アンテナ２０が引き出された状態であることを検出する上赤外線センサユニット３０ｂのみを下筐体１３に配置した場合、上赤外線センサユニット３０ｂが、アンテナ２０が引き出された状態であることを検出した場合にワンセグ放送の受信を開始する処理が実行される。また、受信を終了する処理については、操作キー１７より所定の操作を受け付けた場合に実行される。
【００５１】
また、検出手段としての赤外線センサユニット３０は、照射した赤外線がアンテナ２０において反射されたか否かによりアンテナ２０の状態を検出したが、アンテナ収納部２１を構成する、例えば下筐体１３の内壁の所定位置において反射されたか否かによりアンテナ２０の状態を検出してもよい。主制御部４０は、赤外線センサユニット３０の受光素子３２が所定量以上の反射光を検出したか否か、すなわちアンテナ２０より反射されると想定される反射光よりも強い反射光を受信したか否かにより、アンテナ２０の状態の判定を行うように構成することができる。この場合、赤外線センサユニット３０は発光素子３１より発光される赤外線が下筐体１３の内壁の所定位置に照射されるように構成される。また、下筐体１３の内壁はアンテナ２０の外表面よりも赤外線の反射率の高い材料で構成されるのが好ましい。
【００５２】
また、赤外線センサユニット３０は、反射型で構成したが、これに限らずアンテナ２０により赤外線が遮断されたか否かによりアンテナ２０の状態を検出する透過型や、他の形式で構成してもよい。さらに、検出手段として赤外線センサユニット３０を適用したが、これに限らず赤外線以外の他の各種光センサユニットや超音波センサユニット、機械的センサユニットなどであってもよい。
【００５３】
さらに、ワンセグ放送の受信開始時において、既に他のアプリケーションが起動していた場合には、そのアプリケーションとワンセグ放送をディスプレイ１４に分割表示するマルチウィンドウシステムを備えてもよい。
【００５４】
さらにまた、本実施形態においてはスライド式の携帯電話機１に適用した例を説明したが、これに限らずストレート式や折りたたみ式の携帯電話機であってもよい。折りたたみ式の携帯電話機に適用した場合には、携帯電話機が開状態である場合に、アンテナ２０が引き出された場合にワンセグ放送の受信を開始させる処理を実行させることにより、スライド式と同様に不要な処理を削減することができる。
【００５５】
また、本発明に係る携帯端末装置を地上波ディジタルワンセグ放送の受信が可能な携帯電話機１に適用した例を説明したが、これに限らず地上波ディジタル放送や地上波ディジタル３セグメントラジオ放送、地上波ディジタルワンセグメントラジオ放送などであってもよい。
【００５６】
さらに、本実施形態においては、本発明に係る携帯端末装置を携帯電話機１に適用して説明したが、ＰＤＡ（Ｐｅｒｓｏｎａｌ  Ｄｉｇｉｔａｌ  Ａｓｓｉｓｔａｎｔ）、パーソナルコンピュータ、携帯型ゲーム機、携帯型音楽再生機、携帯型動画再生機、その他の地上波ディジタルワンセグ放送などの受信機能を備えた携帯端末装置にも適用することができる。
【図面の簡単な説明】
【００５７】
【図１】本発明に係る携帯端末装置の一例であるスライド式の携帯電話機の外観の構成を示す斜視図。
【図２】本実施形態における携帯電話機の下筐体に設けられた地上波ディジタルワンセグ放送受信用アンテナを特に示す断面図。
【図３】本実施形態における携帯電話機の内部の構成を示す図。
【図４】本実施形態における携帯電話機の主制御部の制御に基づき実行されるワンセグ放送受信制御処理を説明するフローチャート。
【図５】赤外線センサユニットの動作状態を概念的に示す図。
【符号の説明】
【００５８】
１  携帯電話機
１２  上筐体
１３  下筐体
１４  ディスプレイ
１５  レシーバ
１６  サブ操作キー
１７  操作キー
１８  マイクロフォン
１９  スピーカ
２０  地上波ディジタルワンセグ放送受信用アンテナ
２０ａ  アンテナ根元部
２０ｂ  アンテナ先端部
２０ｃ  ストッパ
２１  アンテナ収納部
２２  開口部
２３  アンテナ保持部
３０ａ  下赤外線センサユニット
３０ｂ  上赤外線センサユニット
３１ａ、３１ｂ  発光素子
３２ｂ、３２ｂ  受光素子
４０  主制御部
４１  電源回路部
４２  入力制御部
４３  表示制御部
４４  記憶部
４５  音声制御部
４６  通信制御部
４７  ワンセグ放送受信部
４８  通信用アンテナ
【図１】
2010045627.tif 000003
【図２】
2010045627.tif 000004
【図３】
2010045627.tif 000005
【図４】
2010045627.tif 000006
【図５】
2010045627.tif 000007